(57)【特許請求の範囲】
【請求項１】
トップライン、前記トップラインに対向するソール、ヒール部及び前記ヒール部に対向するトウ部を有する本体を備えるゴルフクラブヘッドであって、
前記本体は、
トップラインとソールとの間に延伸する打撃面と、
前記打撃面と対向関係にある裏面と、
前記裏面に近接し、少なくとも部分的に前記ソールに沿って延伸するソール本体と、
少なくとも部分的に前記裏面に沿って延伸する周縁フランジであって、前記裏面に対してフランジ高さＨFだけ分離される外側フランジ面を画定する前記周縁フランジと、
前記裏面から突出し、前記裏面に対して第一のトラスアーム高さＨT1及び第一のトラスアーム面を有する第一のトラスアーム、並びに前記裏面に対して第二のトラスアーム高さＨT2及び第二のトラスアーム面を有する第二のトラスアームを含むトラスであって、前記第一のトラスアーム及び前記第二のトラスアームは、前記ヒール部に近接する第一の裏面領域、前記トウ部に近接する第二の裏面領域、並びに前記第一の裏面領域及び前記第二の裏面領域の間の第三の裏面領域に前記裏面を分離し、前記第三の裏面領域は段差部を含む、トラスと、
前記ソール本体に沿って、前記ヒール部と前記トウ部との間で延びるトラス背部であって、外側トラス背部面を画定するトラス背部と、
を備え、
前記フランジ高さＨF、第一のトラスアーム高さＨT1、及び前記第二のトラスアーム高さＨT2は、０．２５ｍｍ以下で高さが異なる、
ゴルフクラブヘッド。
【請求項２】
前記外側フランジ面は、チャンネル分だけ第一のトラスアーム及び前記第二のトラスアームから分離される、
請求項１に記載のゴルフクラブヘッド。
【請求項３】
前記裏面は、裏面の面粗さを有し、
前記外側フランジ面、前記第一のトラスアーム面及び前記第二のトラスアーム面はそれぞれ、前記外側フランジ面、前記第一のトラスアーム面及び前記第二のトラスアーム面が前記裏面の面粗さよりも粗度が低くなるような、前記裏面の面粗さとは異なる面粗さを有する、
請求項１又は２に記載のゴルフクラブヘッド。
【請求項４】
前記裏面は、一の光反射値を有し、
前記外側フランジ面、前記第一のトラスアーム面及び前記第二のトラスアーム面はそれぞれ、前記外側フランジ面、前記第一のトラスアーム面及び前記第二のトラスアーム面が前記裏面よりも反射性が高くなるような、前記裏面の光反射値とは異なる光反射値を有する、
請求項１又は２に記載のゴルフクラブヘッド。
【請求項５】
前記第一のトラスアーム及び前記第二のトラスアームはそれぞれ前記トラス背部と一体的に結合する、
請求項１に記載のゴルフクラブヘッド。
【請求項６】
前記第一のトラスアーム及び前記第二のトラスアームは、前記トラス背部の共通の側部から延伸する、
請求項５に記載のゴルフクラブヘッド。
【請求項７】
前記外側フランジ面は、離間した一対のチャンネル分だけ前記外側トラス背部面から分
離される、
請求項５に記載のゴルフクラブヘッド。
【請求項８】
前記ソール本体は、前記外側トラス背部面に沿って延伸し、かつチャンネル分だけ当該面から分離されるソール傾斜部を画定する、
請求項５に記載のゴルフクラブヘッド。
【請求項９】
前記裏面は、第一の面粗さを有し、
前記ソール本体は、前記外側トラス背部面に沿って延伸するソール傾斜部であって、当該ソール傾斜部が前記裏面よりも粗度が小さくなるような、前記第一の面粗さとは異なる第二の面粗さを有するソール傾斜部を画定し、
前記外側フランジ面、前記第一のトラスアーム面、前記第二のトラスアーム面及び前記外側トラス背部面はそれぞれ、前記ソール傾斜部よりも粗度が小さくなるような、前記第一の面粗さ及び前記第二の面粗さの双方とは異なる第三の面粗さを有する、
請求項５に記載のゴルフクラブヘッド。
【請求項１０】
前記ゴルフクラブヘッドは、アイアンタイプのゴルフクラブヘッドである、
請求項１に記載のゴルフクラブヘッド。
【請求項１１】
トップライン、及び前記トップラインに対向するソールを有する本体を備えるゴルフクラブヘッドであって、
前記本体は、
トップラインとソールとの間に延伸する打撃面と、
前記打撃面と対向関係にある裏面と、
前記裏面に近接し、少なくとも部分的に前記ソールに沿って延伸するソール本体と、
少なくとも部分的に前記裏面に沿って延伸する周縁フランジであって、前記裏面に対してフランジ高さＨFだけ分離される外側フランジ面を画定する前記周縁フランジと、
前記裏面から突出し、前記裏面に対して第一のトラスアーム高さＨT1及び第一のトラスアーム面を有する第一のトラスアーム、並びに前記裏面に対して第二のトラスアーム高さＨT2及び第二のトラスアーム面を有する第二のトラスアームを含むトラスと、
少なくとも部分的に前記ソール本体に沿って延伸するトラス背部であって、外側トラス背部面を画定するトラス背部と、
を備え、
前記フランジ高さＨF、第一のトラスアーム高さＨT1、及び前記第二のトラスアーム高さＨT2は、０．２５ｍｍ以下で高さが異なり、
前記第一のトラスアーム及び前記第二のトラスアームはそれぞれ前記トラス背部と一体的に結合する、
ゴルフクラブヘッド。
【請求項１２】
前記第一のトラスアーム及び前記第二のトラスアームは、前記トラス背部の共通の側部から延伸する、
請求項１１に記載のゴルフクラブヘッド。
【請求項１３】
前記外側フランジ面は、離間した一対のチャンネル分だけ前記外側トラス背部面から分
離される、
請求項１１に記載のゴルフクラブヘッド。
【請求項１４】
前記ソール本体は、前記外側トラス背部面に沿って延伸し、かつチャンネル分だけ当該面から分離されるソール傾斜部を画定する、
請求項１１に記載のゴルフクラブヘッド。
【請求項１５】
前記裏面は、第一の面粗さを有し、
前記ソール本体は、前記外側トラス背部面に沿って延伸するソール傾斜部であって、当該ソール傾斜部が前記裏面よりも粗度が小さくなるような、前記第一の面粗さとは異なる第二の面粗さを有するソール傾斜部を画定し、
前記外側フランジ面、前記第一のトラスアーム面、前記第二のトラスアーム面及び前記外側トラス背部面はそれぞれ、前記ソール傾斜部よりも粗度が小さくなるような、前記第一の面粗さ及び前記第二の面粗さの双方とは異なる第三の面粗さを有する、
請求項１１に記載のゴルフクラブヘッド。
【発明の詳細な説明】
【技術分野】
【０００１】
本開示は、一般的にゴルフクラブに関し、より詳細には、全てのトラスと周辺フランジを同程度に、例えば、平滑化又は研磨するために用いられる仕上げ操作を改善するように、互に関連して配置される各トラスと周辺フランジの独自に構成された配列を含むゴルフクラブヘッドに関する。
【背景技術】
【０００２】
ゴルフクラブのデザインの決定は、主にゴルフクラブの物理的な高性能化を達成する要求によりなされている。例えば、ゴルフクラブは、より遠い距離、より大きい復元許容性、又はゴルフボールのインパクトの際により望ましい“感触”と打撃音を生み出す、特別な振動共鳴を達成するように特別に構成され得る。
【０００３】
ゴルフクラブの物理的な高性能化に加え、ゴルフクラブの外観又は美的性などもまた全体のデザインの要因に入れられる。ゴルファーは使用する器材に対して自信を感じるとき、より良いプレーをする傾向が強いことから、デザイナーは、物理的な高性能化を達成できるだけでなく、ゴルファーに自信を与える魅力的な外観を生み出すゴルフクラブの創作に努力している。
【０００４】
物理的な性能を改善するために、多数のゴルフクラブヘッド（とりわけ、ウェッジタイプやアイアンタイプ）に組み込まれている一つの構造的な特徴として、ゴルフボールとのインパクトの際のクラブヘッドへの振動に対する減衰効果のあるものとしてトラスがある。図１、１Ａ及び１Ｂに従来のゴルフクラブヘッド１０を示す。ゴルフクラブヘッド１０は通常、打撃面１２と、打撃面１２と対向関係に配置される裏面１４と、打撃面１２のヒール端部１１から突出するシャフト収納ホーゼル１５と、少なくとも部分的に裏面１４を囲み、かつ外面３６を画定する周辺フランジ１６とを含む。周辺フランジ１６の対向端部はクラブヘッド１２の下部体１８へ移行している。下部体１８はソール部２０と傾斜裏面２２とを画定している。傾斜裏面２２は、少なくとも部分的に一以上のキャビティー２４を画定する。図１に示すように、キャビティー２４は、クラブヘッドデザインでは共通して、ブランドの標章又はその他の標章を含み得る、挿入部材２５を収容している。
【０００５】
クラブヘッド１０は更に、クラブヘッド１０の裏面１４の所定部上に形成され、かつこれら所定部に沿って延伸するトラス２６を含む。トラス２６は、例えば、質量分布、重心等のクラブヘッド１０のその他特別に調整された構造的特徴を損なうことなく、振動の減衰などの特徴を強化する所望の物理的な性能を達成するように特別に構成されている。トラス２６は通常、ベースセグメント２８と、相互に離間する関係でベースセグメント２８の共通する側部から延伸する一以上のアームセグメント３０、３２とを含んでいる。キャビティー２４は、ベースセグメント２８と下部体１８との間に位置決めされ、部分的にそれぞれによって画定されている。
【０００６】
トラス２６は、裏面１４に対するトラス高さＴHと、頂部又は外面３４での、トラス２６のベースセグメント２８及びアームセグメント３０、３２のそれぞれの長手方向の対向する縁部間の距離により画定されるトラス幅ＴWとを有する。更に、周辺フランジ１６は、裏面１４に対するフランジ高さＦHを有する。一の従来技術に係るクラブヘッド１０では、トラス高さＴHは約０．９２ｍｍ、トラス幅ＴWは約２ｍｍ、そしてフランジ高さＦHは約１．２ｍｍである。この点において、トラス高さＴHはフランジ高さＦH未満であることから、トラス２６は周辺フランジ１６に対して凹状となる。
【０００７】
クラブヘッド１０を形成する最終工程の一つは、クラブヘッド１０の全体の外観を高める、望ましい面のテクスチャリングスキームを形成することである。面のテクスチャリングスキームは、クラブヘッド１０上に異なる反射面を作りだすものであって、クラブヘッド１０の離散領域上の幾つかの異なる質感の面組織を含んでよい。面のテクスチャリングは、クラブヘッド１０の異なる領域をブラスト及び研磨することで達成されてよい。研磨は、所望の面の質感に対応する特定な面仕上げを作りだすために、クラブヘッド１０の所定面に接触する研磨ホイールの使用を伴ってよい。
【０００８】
クラブヘッド１０の研磨に関連する一つの特別な制約として、研磨ホイールは、クラブヘッド１０の各最外面を効果的に研磨することだけを可能としている。換言すると、隣接面より凹状に形成される又は隣接面の下に在る各面は、典型的には、研磨ホイールは容易には到達できない面であることから、これら面は、研磨面より高い面粗さ値を有する面を作りだす代表的なブラスト処理が施される。
【０００９】
上述のように、クラブヘッド１０のような従来のクラブヘッドでは、トラス２６の外面３４は、クラブヘッド１０上の各隣接面の下に在る。図１Ａ及び１Ｂで詳細に示すように、トラス２６の外面３４は、周辺フランジ１６の隣接外面から偏り、且つ、フランジ高さＦHとトラス高さＴHとの差に等しい偏り量“Ｏ”で当該隣接外面の下に在る。フランジ高さＦHが１．２ｍｍに等しく、トラス高さＴHが０．９２ｍｍに等しい場合、偏り量“Ｏ”は、０．２８ｍｍであり、研磨ホイールがトラス２６、特に外面３４に達するのを防止するのに充分な大きさである。
【００１０】
更に、傾斜裏面２２は、図１Ａ及び１Ｂにおいて参照番号３５が付されている一部、すなわち、トラス２６の一部（つまり、ベースセグメント２８）を越えて延伸することが多い。この点において、クラブヘッド１０は、傾斜裏面２２と裏面１４との間に２個の“段差部“、すなわち、傾斜裏面２２とトラス２６との間に”第一の段差部”、及び、トラス２６と裏面１４との間に“第二の段差部”を含む。トラスの外面３４の凹状性により、研磨ホイールが当該外面３４と接触又は外面３４を引き込むことが効果的に防止される。その様なことから、トラス２６はクラブヘッド１０の裏面１４で、典型的にはブラストによりきめ出しされることが多く、結果的には、鈍重な外観、すなわち、トラス２６がクラブヘッド１０の裏面１４と単に一体化するような外観になってしまう。
【発明の概要】
【発明が解決しようとする課題】
【００１１】
上記の従来技術の欠陥に鑑み、視覚的により際立ったトラスの外観を形成するために、下層の裏面と対比をつけるようなトラスの研磨を実施可能とするよう、特別に構成され且つ適合化されたトラスを備えるクラブヘッドが要望される。
【課題を解決するための手段】
【００１２】
本開示の各種側面は、外側トラス面を画定するトラスであって、当該外側トラス面の少なくとも一部は、隣接周縁フランジの外側フランジ面と実質的に共面となり得るトラスを有するクラブヘッドに関する。この点において、外側トラス面は、従来の研磨ホイールを使用して、外側トラス面は、外側フランジ面に沿って研磨できるように、外側フランジ面より低く有意に凹状又は段差状に構成されない。従って、外側トラス面は、クラブヘッドの物理的性能を損なうことなく、際立った視覚上の対比と望ましい美的外観を与えるように、下層の裏面に対して、研磨仕上げを施されてよい。
【００１３】
一の実施の形態によれば、トップライン及び対向するソールを有する本体を備えるゴルフクラブヘッドが提供される。本体は、トップラインとソールとの間に延伸する打撃面、及び、打撃面と対向関係にある裏面、を含む。ソール本体は、裏面と近接し、少なくとも部分的にソールに沿って延伸する。周縁フランジは、少なくとも部分的に裏面周りに延伸し、裏面に対してフランジ高さＨFを有する。トラスは、裏面から突出し、裏面に対して第一のトラスアーム高さＨT1を有する少なくとも第一のトラスアームを含んでよく、高さＨFとＨT1との差は、約０．２５ｍｍ未満であってよい。
【００１４】
トラスは、第一のトラスアームと離間する関係で、裏面から突出する第二のトラスアームであって、前記裏面に対して第二のトラスアーム高さＨT2を有する第二のトラスアームを含んでよく、高さＨFとＨT2との差は約０．２５ｍｍ未満であってよい。周縁フランジは、フランジ高さＨF分だけ前記裏面から分離される外側フランジ面を画定してよく、第一のトラスアームは、第一のトラスアーム高さＨT1分だけ裏面から分離される第一の外側トラスアーム面を画定してよく、第二のトラスアームは、第二のトラスアーム高さＨT2分だけ裏面から分離される第二の外側トラスアーム面を画定してよい。外側フランジ面は、一対のチャンネルのそれぞれの分だけ第一及び第二のトラスアーム面のそれぞれから分離されてよい。
【００１５】
裏面は一つの面粗さを有してよく、外側フランジ面と第一及び第二の外側トラス面とはそれぞれ、外側フランジ面と第一及び第二の外側トラス面とが裏面よりも粗度が低くなるように、裏面の面粗さとは異なる他の面粗さを有してよい。
【００１６】
裏面は、一の光反射値を有してよく、フランジ面、第一のトラスアーム面及び第二のトラスアーム面それぞれは、フランジ面、第一のトラスアーム面及び第二のトラスアーム面がそれぞれ裏面よりも反射性が高くなるように、裏面の光反射値とは異なる光反射値を有してもよい。
【００１７】
トラスは、少なくとも部分的にソール本体に沿って延伸し、かつ外側トラス背部面を画定するトラス背部を更に備えてよく、第一のトラスアーム及び第二のトラスアームはそれぞれ、トラス背部と一体的に結合してもよい。第一のトラスアーム及び第二のトラスアームは、トラス背部の共通の側部から延伸してもよい。
【００１８】
外側フランジ面は、離間した一対のチャンネル分だけ前記外側トラス背部面から分離されてもよい。
【００１９】
ソール本体は、外側トラス背部面に沿って延伸し、かつチャンネル分だけ当該面から分離されるソール傾斜部を画定してよい。裏面は第一の面粗さを有し、ソール本体は、前記外側トラス背部面に沿って延伸し、かつソール傾斜部自体が前記裏面よりも粗度が小さくなるような、第一の面粗さとは異なる第二の面粗さを有するソール傾斜部を画定してもよい。外側フランジ面、第一の外側トラス面、第二の外側トラス面及び外側トラス背部面はそれぞれ、外側フランジ面、第一の外側トラス面、第二の外側トラス面及び外側トラス背部面それぞれがソール傾斜部よりも粗度が小さくなるような、第一の面粗さ及び前記第二の面粗さの双方とは異なる第三の面粗さを有してもよい。
【００２０】
他の実施の形態によれば、トップライン及び対向するソールを有する本体を備えるゴルフクラブヘッドが提供される。本体は、打撃面、及び、当該打撃面と対向関係にある裏面、を含む。本体は、更に、外側トラス面を画定するトラスであって、前記裏面を少なくとも２つの面領域に分離するトラスを含む。２つの面領域それぞれが一の面粗さを有し、外側トラス面は、外側トラス面が２つの面領域よりも粗度が小さくなるような、２つの面領域の持つ一の面粗さとは異なる他の面粗さを有する。
【発明の効果】
【００２１】
前述の各種好適な側面は、個別に又は各種組み合わせて実施してよい。各種の側面における本開示に係る、また各種の実施の形態における一以上の実施の形態で例示したゴルフクラブヘッドのこれら及びその他の特徴は、下記に続く説明、添付の図面及び添付の特許請求項を考慮した後に明瞭となろう。
【図面の簡単な説明】
【００２２】
【図１】図１は、好適な従来のアイアンタイプ又はウェッジタイプのクラブヘッドの背面図である。
【図１Ａ】図１Ａは、従来のクラブヘッドの図１の軸線１Ａ−１Ａに沿う横断面図である。
【図１Ｂ】図１Ｂは、従来のクラブヘッドの図１の軸線１Ｂ−１Ｂに沿う横断面図である。
【図２】図２は、本開示の実施の形態に係る好適なアイアンタイプ又はウェッジタイプのクラブヘッドの背面図である。
【図２Ａ】図２Ａは、クラブヘッドの図２の軸線２Ａ−２Ａに沿う横断面図である。
【図２Ｂ】図２Ｂは、クラブヘッドの図２の軸線２Ｂ−２Ｂに沿う横断面図である。
【図３】図３は、研磨ホイールで研磨される図２、２Ａ、２Ｂに示されるクラブヘッドの透視図である。
【発明を実施するための形態】
【００２３】
本明細書で説明される各図面は例示を目的とするものであって、いかなる観点からも本発明の範囲の限定を意図するものではない。これより好適な各実施が添付の図面を参照して説明される。
【００２４】
共通の参照番号は各図面及び詳細な説明の全体を通して同様の構成要素を示す。
【００２５】
以下、図面を参照するが、図示されたものは本開示のみの各種側面の例示を目的とするもので、本開示を限定する目的とするものではない。また、ここにおいて、図２、２Ａ及び２Ｂは本開示の実施の形態に従い構成されたゴルフクラブヘッド１１０を示している。本開示の一以上の側面では、図２、２Ａ及び２Ｂの実施例として示されるように、ゴルフクラブヘッド１１０は、通常"アイアン"又は"ウエッジ"として特徴づけられたカテゴリーのゴルフクラブ用のヘッドである。アイアンは、多くの場合、番号付けが施されている、例えば、２番アイアンから９番アイアンなど、ロフト角が大きくなるに従い大きい番号となっている。ウエッジは、多くの場合、通常４６度から６４度の範囲に収まるロフト角、すなわち、打撃面の傾斜度に依存して、"ピッチング"ウエッジ、"ギャップ"ウエッジ、"サンド"ウエッジ及び"ロブ"ウエッジと分類されている。しかしながら、以下に詳細に説明されるように、本開示の各原理が、アイアン、ハイブリッド、パター等を含むその他のタイプに適用され得ることは、当業者は理解するであろう。
【００２６】
ゴルフクラブヘッド１１０は本体１１２を含む。図２、２Ａ及び２Ｂに示される透視図から見るとき、本体１１２は、トップラインを画定する頂部１１４と、通常、頂部１１４に対向しソール１１７を画定する底部１１６と、を含む。本体１１２は、また、ヒール部１１８と、通常、ヒール部１１８に対向するトウ部１２０と、打撃面１２２と、通常、その打撃面と対向する裏面１２４と、を含んでいる。更に、本体１１２は、図２、２Ａ及び２Ｂに見られるように、通常、打撃面１２２に直近の頂部１１４のヒール側に位置決めされるホーゼル１２５を含む。ホーゼル１２５は、クラブシャフト（図示せず）のゴルフクラブヘッド１１０への取り付けを容易にするために用いられる。
【００２７】
ゴルフクラブヘッド１１０では、本体１１２は、代表的には、殆どの場合、金属材料、例えば、ステンレス、チタン又は其の他の金属、及びそれらの合金によって制作される。更に詳細には、少なくとも本体１１２を、鍛造、曲げ加工、加圧、打抜き加工、又は類似の好適な技術によって、本体の形成を容易にするように、約１０％以上の伸び率を有する材料から制作してよい。本明細書で用いる各慣用句、"以上（ｇｒｅａｔｅｒ  ｔｈａｎ  ｏｒ  ｅｑｕａｌ  ｔｏ）"及び"以上（ｎｏｔ  ｌｅｓｓ  ｔｈａｎ）"は相互交換的に使用してよい。同様に、各慣用句、"以下（ｌｅｓｓ  ｔｈａｎ  ｏｒ  ｅｑｕａｌ  ｔｏ）"及び"以下（ｎｏｔ  ｇｒｅａｔｅｒ  ｔｈａｎ）"も相互交換的に使用してよい。
【００２８】
アイアンタイプ及びウェッジタイプのゴルフクラブにおいて典型的であるように、打撃面１２２は、通常、平面又は平坦であり、ゴルフボールの打撃に適合している。打撃面１２２は、通常、平面として記述されるが、クラブの種類に依存して、幾分のバルジ（水平方向の丸み）及び／又はロール（垂直方向の丸み）を有してよいことを当業者は理解するであろう。打撃面１２２の特定の外形又は断面形状は、図２、２Ａ及び２Ｂにおいては通常好適なものとしてのみ示しているが、本開示の主旨と範囲から逸脱することなく、選択的に変更してよいことは当業者は更に理解するであろう。これらの趣旨に沿って、本体１１２の頂部、底部、ヒール部、トウ部１１４、１１６、１１８、１２０の特定の外形又は輪郭は、図２、２Ａ及び２Ｂに示すように、好適なものとしてのみ示しているが、それ自体、本開示の主旨と範囲から逸脱することなく、選択的に変更してよい。
【００２９】
一の実施によれば、ゴルフクラブヘッド１１０は、打撃面１２２からゴルフクラブヘッド１１０内に延伸する複数の溝部１２８を含んでいる。好適な各溝部１２８は、通常、相互に平行であり、クラブヘッドが"基準位置"にあるときには、水平方向に延伸してもよい。図２、２Ａ及び２Ｂにおいて、ゴルフクラブヘッド１１０は"基準位置"にあるものとして示してある。ゴルフクラブヘッド１１０が"基準位置"にあるときは、ホーゼル軸１３０は、水平地面１３２に対して約６０度のライ角度に方向付けされる。特段に示さない限り、本明細書での全てのパラメータは、基準位置にあるゴルフクラブヘッド１１０に対して特定されているものとする。
【００３０】
クラブヘッド１１０は、ゴルフボールを打つときのパーフォーマンスと感触とが改善されたヘッドとなるように独自に構成されている。裏面１２４は、通常、打撃面１２２と対向関係に配置されており、通常、平面であり、かつ、打撃面１２２に対して平行である。好適な実施の形態では、裏面１２４は、第一の部位１３４、第一の部位１３４に対するクラブヘッド１１０内に凹状に形成し得る第二の部位１３６、及び、第一の部位１３４と第二の部位１３６との間で延伸してこれら第一の部位１３４と第二の部位１３６とを結合する段差部１３８を含んでよい。完成されたクラブヘッド１１０において、裏面１２４は、以下により詳細に説明されるように、第一の面粗さ値を有するように仕上げてよい。
【００３１】
クラブヘッド１１０は、所定の性能上の特長を与えるために、裏面１２４の直近部位に関して幾つかの特徴を含んでいる。クラブヘッド１１０は、裏面１２４に沿うソール１１７からトップライン１１５への移動順で、ソール本体１４０、トラス１４２及び周縁フランジ１４４を含んでいる。ソール本体１４０は、時としてウエッジ又はアイアンタイプのゴルフクラブの"マッスル"と称される部位であり、かつ、クラブヘッド１１０の少なくともソール１１７の一部を画定し得る部位であり、当該ソール本体１４０は、ヒール部１１８とトウ部１２０との間に延伸している。ソール本体１４０の外面は、リッジ１４６によって相互に隔離されるソールグラインド部１４８とソール傾斜部１５０とを画定する。ソールグラインド部１４８は全体的には弓状の形状を有し、他方、ソール傾斜部１５０は、通常、平面形状である。リッジ１４６は、ヒール部１１８及びトウ部１２０の間にあるソール傾斜部１５０とソールグラインド部１４８との間に延伸する。完成したクラブヘッド１１０では、ソールグラインド部１４８及びソール傾斜部１５０はそれぞれ、裏面１２４に対応する第一の面粗さ値より小さい第二の面粗さ値を有してよい。より特殊性の観点から、ソールグラインド部１４８及びソール傾斜部１５０は裏面１２４より滑らかとしてよい。
【００３２】
周縁フランジ１４４は、打撃面１２２から離間し、かつクラブヘッド１１０のトップライン１１５に沿って、裏面１２４から、ヒール部１１８とトウ部１２０との間に延伸する。周縁フランジ１４４は、外側フランジ面１５２を画定する。周縁フランジ１４４は、裏面１２４に対してフランジ高さＨFを有する。図２Ａ及び２Ｂに示されるように、フランジ高さＨFは、周縁フランジ１４４の外側フランジ面１５２と裏面１２４の第一の部位１３４との間で測定される。フランジ高さＨFは、許容誤差範囲に従い、フランジ高さ最小値ＨFminとフランジ高さ最大値ＨFmaxとの間で変更し得る。一の実施の形態によれば、フランジ高さＨFは約１．８ｍｍに等しい。周縁フランジ１４４はまた、外側フランジ縁部１５４と内側フランジ縁部１５６との間の距離で画定されるフランジ厚みＴFを有する。換言すれば、フランジ厚みＴFは、通常、内側フランジ縁部１５６と外側フランジ縁部１５４との間に延伸する周縁フランジ１４４の幅として特徴付けすることが可能である。好適な実施の形態では、フランジ厚みＴFは、周縁フランジ１４４の長さに沿って、実質的に均一としてよいが、他の実施の形態では、フランジ厚みＴFは周縁フランジ１４４の周辺に沿う一点から他の点に向かって変更し得る。完成したクラブヘッド１１０において、外側フランジ面１５２は、裏面１２４及びソール本体１４０にそれぞれ対応する第一及び第二の面粗さ値とは異なる、第三の面粗さ値を有するように仕上げてもよい。この点について、外側フランジ面１５２は、ソール本体１４０のソールグラインド部１４８及びソール傾斜部１５０、並びに、裏面１２４の第一の部位１３４、第二の部位１３６及び段差部１３８よりも、平滑であってよい。
【００３３】
クラブヘッド１１０は更に、裏面１２４に対して外方に突出する前記トラス１４２を含む。以下、更に詳細に説明するように、トラス１４２の一部は、周縁フランジ１４４及びソール本体１４０の各対向端部間で移行部を作りだし得る。トラス１４２は、ゴルフボールをクラブヘッド１１０で打つとき、その衝撃に起因する振動が、所望の感触と打撃音とが得られる程度に減衰されて、打撃面１２２に対して構造的な支持を与えるように構成される。以下、更に詳細に説明するように、完成されたクラブヘッド１１０において、トラス１４２及び外側フランジ面１５２の各所定面は、実質的に同一の面粗さ値（すなわち、第三の面粗さ値）及びそれに伴い同一の外形状を得るような研磨作業を介して仕上げられてよい。
【００３４】
一の実施の形態では、特に図２を参照すると、トラス１４２は、クラブヘッド１１０のヒール部１１８とトウ部１２０との間で概ねソール本体１４０に沿って延伸するトラス背部１６２を備えてよい。図示のトラス背部１６２それ自体は、トラスヒールセグメント１６４と、トラストウセグメント１６６と、該トラストウセグメント１６６とトラスヒールセグメント１６４との間に延伸しかつそれらセグメントを結合するトラスキャビティセグメント１６８と、で構成される。トラス１４２は更に、トラス背部１６２と一体的結合し、該トラス背部１６２の共通の側部から突出する、一以上の、例えば、一組のトラスアーム１５８、１６０を含む。各トラスアーム１５８、１６０の遠端部は、周縁フランジ１４４の内側フランジ縁部１５６に延伸する。
【００３５】
図２、２Ａ及び２Ｂに示されるトラス１４２の好適な実施の形態では、一組のトラスアーム１５８、１６０は、裏面１２４に沿って延伸して、３つの離散的な裏面領域１７０、１７２、１７４に当該裏面１２４を分離する。第一の裏面領域１７０は、もっぱら第一の部位１３４により画定され得るものであって、クラブヘッド１１０のヒール部１１８に隣接して位置決めされ、更にトラスアーム１５８、トラスヒールセグメント１６４及び周縁フランジ１４４のヒールセグメントによりその境界が画定されている。第二の裏面領域１７２は、第二の部位１３６と第一の部位１３４の少なくとも一部とにより画定され得るものであって、両トラスアーム１５８、１６０、トラスキャビティセグメント１６８及び周縁フランジ１４４の中間セグメントによりその境界が画定されている。第三の裏面領域１７４は、もっぱら第一の部位１３４により画定され得るものであって、クラブヘッド１１０のトウ部１２０に近接して位置決めされ、更に第二のトラスアーム１６０、第二のトラスアーム１６０、トラストウセグメント１６６及び周縁フランジ１４４のトウセグメントによりその境界が画定されている。
【００３６】
トラスアーム１５８は外側トラスアーム面１７６を画定しており、トラスアーム１６０は外側トラスアーム面１７８を画定している。トラス背部１６２は、トラスヒールセグメント１６４、トラストウセグメント１６６及びトラスキャビティセグメント１６８に架橋する外側トラス背部面１８０を画定する。外側トラス背部面１８０は、好ましくは、ソール本体１４０で画定されるソール傾斜部１５０と実質的に同一面または共面の関係にある。しかしながら、クラブヘッド１１０は、好ましくは、その内部に形成される長手状の溝又はチャンネル１８２であって、トラス背部１６２の輪郭に倣い、かつ外側トラス背部面１８０とソール傾斜部１５０と間に可視境界線を形成する長手状の溝又はチャンネル１８２を含んでよい。外側トラス背部面１８０とソール傾斜部１５０との共面関係により、単一の"段差部"のみが、ソール本体１４０と裏面１２４の第一、第二の部位１３４、１３６それぞれとの間で画定される。そのようなステップは、トラス１４２のトラス背部１６２によって画定される。より詳細には、トラス背部１６２のトラスヒールセグメント１６４は、第一の面領域１７０において、ソール傾斜部１５０と裏面１２４の第一の部位１３４との間で単一の段差部を画定しており、対してトラス背部１６２のトラストウセグメント１６６は、第三の面領域１７４において、ソール傾斜部１５０と裏面１２４の第一の部位１３４との間で単一の段差部を画定している。トラス背部１６２のトラスキャビティセグメント１６８は、第二の面領域１７２において、ソール傾斜部１５０と裏面１２４の第二の部位１３６との間で単一の段差部を画定している。
【００３７】
トラス背部１６２のトラスヒールセグメント１６４は、周縁フランジ１４４の一端とソール本体１４０との間で移行部を作りだし、対してトラス背部１６２のトラストウセグメント１６６は、周縁フランジ１４４の対向端とソール本体１４０との間で移行部を作りだしている。これらの趣旨に沿って、クラブヘッド１１０は、好ましくは、更にその内部に形成される溝又はチャンネル１８８であって、トラス背部１６２のトラスヒールセグメント１６４で画定されるように、外側フランジ面１５２と外側トラス背部面１８０との間に可視境界線を形成する溝又はチャンネル１８８を含む。溝又はチャンネル１９０もまた、クラブヘッド１１０内に形成されて、トラス背部１６２のトラストウセグメント１６６で画定されるように、外側フランジ面１５２と外側トラス背部面１８０との間に可視境界線を形成している。同様の手法で、クラブヘッド１１０は、好ましくは、更にその内部に形成される溝又はチャンネル１８４であって、トラスアーム１５８の外側トラスアーム面１７６と外側フランジ面１５２との間に可視境界線を形成する溝又はチャンネル１８４を含み、同じく、その内部に形成される溝又はチャンネル１８６（図２Ａを参照）であって、トラスアーム１６０の外側トラスアーム面１７８と外側フランジ面１５２との間に可視境界線を形成する溝又はチャンネル１８６を含む。
【００３８】
クラブヘッド１１０において、トラスアーム１５８は、外側トラスアーム面１７６と裏面１２４の第一の部位１３４との間で測定されるトラスアーム高さＨT1を有する。同様に、トラスアーム１６０は、外側トラスアーム面１７８と裏面１２４の第一の部位１３４との間で測定されるトラスアーム高さＨT2を有する。各トラスアーム高さＨT1、ＨT2は、許容誤差に依存して、トラスアーム最大高ＨT-MAXとトラスアーム最小高さＨT-MINとの間で変更し得る。更に、各外側トラスアーム面１７６、１７８はそれぞれ、その対向端間の距離で画定される所定トラス幅ＷTを有する。
【００３９】
一の実施の形態では、トラス幅ＷTは約３．３ｍｍに等しく、各トラスアーム高さＨT1、ＨT2は約１．８ｍｍに等しく、実質的には周縁フランジ高さＨFと等しい。以下、更に詳細に説明するように、各外側トラスアーム面１７６、１７８と外側フランジ面１５２との間の一般的な共面関係により、研磨ホイール１９２（図３を参照）を用いて、外側トラスアーム面１７６、１７８の研磨を可能としている。各外側トラスアーム面１７６、１７８と外側フランジ面１５２とは相互にわずかながら偏らせされてよいものであるが、いずれのオフセットも最小となるよう設定され、従来の研磨ホイール１９２を外側フランジ面１５２と各外側トラスアーム面１７６、１７８との双方に有効に係合させて、これら面１５２、１７６、１７８を所定仕上げ面、又は所定面粗さに研磨している。
【００４０】
一の実施の形態によれば、クラブヘッド１１０は更に、クラブヘッド１１０の所定部内に延伸するキャビティー１９４を含む。キャビティー１９４は全体的に、トラス背部１６２のトラスキャビティセグメント１６８と共同して、裏面１２４の凹状の第二の部位１３６及び段差部１３８により画定される。クラブヘッド１１０の性能を調整する及び／又はブランドの証を与えるために、クラブヘッド１１０の重量の分散及びその重心を変更するように、挿入部材（図示せず）をキャビティー１９４内に配置してよい。
【００４１】
クラブヘッド１１０の基本的な構造上の特徴が上記のように説明されたことから、下記の考察では、一の好適なクラブヘッド１１０の仕上げ処理、特にクラブヘッド１１０の所定領域上に所定の面粗さ値を有する所望の表面のテクスチャリングスキームを形成する処理に注目する。クラブヘッド１１０は、上記の構造的な各属性を含むように、鋳造又は鍛造されてよい。鋳造又は鍛造後に、クラブヘッド１１０の裏面１２４を、第一の面粗さ値まで表面の質感出しをする。裏面１２４の質感出しは、当業者が公知のその他のテクスチャリング技術を用いてよく、例えば、裏面１２４は、鋼ショット及びガラス玉でブラストして質感出しがなされてもよい。
【００４２】
裏面１２４の質感出し作業が終わると、クラブヘッド１１０の残りの最外面が、研磨ホイール１９２を用いて研磨される。特に、研磨ホイール１９２は、打撃面１２２、ソール１１７、ソール本体１４０のソールグラインド部１４８及びソール傾斜部１５０、トラス１４２並びに周縁フランジ１４４に対して使用される。更に詳細には、研磨ホイール１９２は外側フランジ面１５２、外側トラスアーム面１７６、１７８及び外側トラス背部面１８０に係合して、これら面を研磨することができるものであるが、一般的には、研磨ホイール１９２は、周縁フランジ１４４の内側フランジ縁部１５６、又はトラス１４２のいずれの側面、特に、トラスアーム１５８、１６０及びトラス背部１６２の側面には接触しない。上述のように、外側フランジ面１５２と各トラスアーム１５８、１６０の各外側トラスアーム面１７６、１７８との間の通常の共面関係により、研磨ホイール１９２が外側トラス背部面１８０と係合していることに加え、研磨ホイール１９２がそれらの面と有効に係合可能となっている。外側フランジ面１５２と各外側トラスアーム面１７６、１７８との間に若干の偏りがある場合には、トラスアーム高さＨT1、ＨT2の大きい方、又は周縁フランジ高さＨFを減少させて、その偏りを研磨工程で小さくしてよい。外側フランジ面１５２、各外側トラスアーム面１７６、１７８及び外側トラス背部面１８０はそれぞれ、好ましくは、裏面１２４に対応の第一の面粗さ値より小さい、前述の第三の面粗さ値まで研磨される。
【００４３】
研磨ホイール１９２を使用する研磨工程の完了後は、テクスチャリング処理は、裏面１２４に対応の第一の面粗さ値より小さい値であるが、外側フランジ面１５２、各外側トラスアーム面１７６、１７８及び外側トラス背部面１８０に対応する第三の面粗さ値より大きい第二の面粗さ値まで、ソールグラインド部１４８とソール傾斜部１５０とを更に研磨する工程を含んでいる。第一及び第三の面粗さ値を与えるよう予めブラスト処理又は研磨処理が施されたソールグラインド部１４８及びソール傾斜部１５０以外のクラブヘッド１１０の領域のマスキングを施した後は、マスキングされていないソールグラインド部１４８及びソール傾斜部１５０は、第二の面粗さ値を与えるように、ガラス玉でこれらをブラストすることで質感出しがなされる。
【００４４】
クラブヘッド１１０のテクスチャリング処理の後は、クラブヘッド１１０の各種部位について形成された異なる面粗さ値をもって、異なる光反射の特徴を生み出している、すなわち、第三の面粗さ値を有する面は高い反射性を、第一の面粗さ値を有する面はもっとも少ない反射性を、第二の面粗さ値を有する面は中間の反射性を持つようになっている。外側フランジ面１５２、各外側トラスアーム面１７６、１７８及び外側トラス背部面１８０の高い反射性は、特に反射性の低い面と対照した場合には、独特の美的属性を醸し出すこととなる。これら美的属性を高めるものとしてチャンネル１８２、１８４、１８６、１８８、１９０が挙げられ、特にチャンネル１８２では、第三の面粗さ値を有する外側トラス背部面１８０と第二の面粗さ値を有する反射性のより少ないソール傾斜部１５０との違いを際立たせている。容易に理解されるように、外側フランジ面１５２、各外側トラスアーム面１７６、１７８及び外側トラス背部面１８０は常に同一の面粗さ値又は同一の反射率を持つ必要はない。更に理解されるように、クラブのその他の面、すなわち、反射性のソール傾斜部１５０、ソールグラインド部１４８及び裏面１２４は同一の面粗さ値又は同一の反射率を持つ必要はない。しかしながら、好適な実施の形態では、外側フランジ面１５２、各外側トラスアーム面１７６、１７８及び外側トラス背部面１８０の個々の面粗さは、隣接の面、すなわち、ソール傾斜部１５０、裏面１２４等の個々の面粗さよりも、粗度（ｃｏｕｒｓｅ→ｃｏａｒｓｅ）を少なく及び／又はより反射性を高くしてもよい。
【００４５】
本開示では、本発明の好適な各実施の形態を提供している。本発明の範囲はこれら好適な各実施の形態に限定されない。構造、寸法、材料の種類及び製造工程等の多数の変更は、本明細書に明示的に示されるか又は暗示的に示されるかに係らず、本開示の観点から、当業者により実施され得るものである。
【図１】
0006610021.tif 000002
【図１Ａ】
0006610021.tif 000003
【図１Ｂ】
0006610021.tif 000004
【図２】
0006610021.tif 000005
【図２Ａ】
0006610021.tif 000006
【図２Ｂ】
0006610021.tif 000007
【図３】
0006610021.tif 000008